(57)【要約】【課題】録画予約時に記録媒体の容量を有効に使用して最適な録画モードに設定することができ、これによりユーザの録画予約の設定操作が簡単に行える情報記録再生装置を提供する。【解決手段】１週間内のテレビ番組の録画予約が行われると、システムコントローラは、ＨＤの残容量を算出し、録画予約による録画で消費される分のデータ容量を前記残容量から引いた残容量内で、最も高画質の録画モードを割り出す。次に、ＨＤに録画されたタイトルで１週間内に録画されたタイトルを対象に最も多く用いられている録画モードを候補として設定する。この後、設定された候補の録画モードで録画した場合にＨＤの容量が足りるか否かを判定する。容量が足りないと判定された場合には、残容量の範囲内で出来るだけ録画できる最も高画質の録画モードで録画予約の内容を確定する。【選択図】図２
2008098962.tif 000002
【特許請求の範囲】
【請求項１】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
テレビ番組の録画予約が設定されたときに、録画予約による録画で消費される分のデータ容量を記録媒体としてのハードディスクの残容量から引いたハードディスクの残容量内で最も高画質の録画モードを割り出す録画モード割出手段と、
ハードディスクに録画されたタイトルで１週間内に録画されたタイトルを対象に最も多く用いられている録画モードを候補として設定する録画モード候補設定手段と、
前記設定された候補の録画モードで録画した場合にハードディスクの容量が足りるか否かを判定する容量判定手段と、
前記ハードディスクの容量が足りると判定された場合に、候補の録画モードで録画予約の内容を確定し、前記ハードディスクの容量が足りないと判定された場合には、前記ハードディスクの残容量の範囲内で出来るだけ録画できる最も高画質の録画モードで録画予約の内容を確定する録画予約内容確定手段と、
前記録画予約された日時になったときに、前記候補の録画モード、または前記ハードディスクの残容量の範囲内で出来るだけ録画できる最も高画質の録画モードで、ハードディスクへのテレビ番組の予約録画を実行させる録画実行制御手段と、を有するシステムコントローラを備えたことを特徴とする情報記録再生装置。
【請求項２】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
テレビ番組の録画予約が設定されたときに、録画予約による録画で消費される分のデータ容量を記録媒体の残容量から引いた記録媒体の残容量内で最も高画質の録画モードを割り出す録画モード割出手段と、
記録媒体に録画されたタイトルで所定期間内に録画されたタイトルを対象に最も多く用いられている録画モードを候補として設定する録画モード候補設定手段と、
前記設定された候補の録画モードで録画した場合に記録媒体の容量が足りるか否かを判定する容量判定手段と、
前記記録媒体の容量が足りると判定された場合に、候補の録画モードで録画予約の内容を確定し、前記記録媒体の容量が足りないと判定された場合には、前記記録媒体の残容量の範囲内で出来るだけ録画できる最も高画質の録画モードで録画予約の内容を確定する録画予約内容確定手段と、
前記録画予約された日時になったときに、前記候補の録画モード、または前記記録媒体の残容量の範囲内で出来るだけ録画できる最も高画質の録画モードで、記録媒体へのテレビ番組の予約録画を実行させる録画実行制御手段と、を有するシステムコントローラを備えたことを特徴とする情報記録再生装置。
【請求項３】
前記録画モード候補設定手段は、記録媒体に録画されたタイトルで１週間内に録画されたタイトルを対象に最も多く用いられている録画モードを候補として設定することを特徴とする請求項２に記載の情報記録再生装置。
【請求項４】
前記記録媒体としてはハードディスクを用いることを特徴とする請求項２に記載の情報記録再生装置。
【発明の詳細な説明】
【技術分野】
【０００１】
本発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置に関し、特に、録画予約時に適切な録画モードに設定する自動録画モード設定機能に関する。
【背景技術】
【０００２】
従来から、この種の情報記録再生装置として、ＤＶＤ（デジタルバーサタイルディスク）に対して情報の記録／再生を行う光ディスク装置（ＤＶＤレコーダ）や、ハードディスクに対して情報の記録／再生を行うハードディスク装置（ハードディスクレコーダ）、あるいは光ディスク装置とハードディスク装置とを搭載した複合型記録再生装置が知られている。
【０００３】
ところで、光ディスク装置では、テレビ番組を録画予約する際に、ＤＶＤのディスク残容量と録画予約している内容（録画時間）から、ディスク残容量を無駄なく使用でき最も画質の良い録画モードを自動で選択し録画を行う自動録画モード設定機能が備えられている。また、ハードディスク装置においても、テレビ番組を録画予約する際に、ハードディスクの残容量と録画予約している内容（録画時間）から、ディスク残容量を無駄なく使用でき最も画質の良い録画モードを自動で選択し録画を行う自動録画モード設定機能を採用することができる。
【特許文献１】特開２００１−１６０２８１号公報
【特許文献２】特開平８−６５６１６号公報
【発明の開示】
【発明が解決しようとする課題】
【０００４】
しかし、ハードディスクの場合、記憶容量が多いため、自動で録画モードが設定された場合に、必要以上の高画質モードでテレビ番組などが記録され、無駄にハードディスクの容量を消費してしまう可能性があるという課題が生じる。
【０００５】
特許文献１に記載の従来技術は、タイマ予約（録画予約）の際には、コンテナ情報ファイルに基づいて、ハードディスクの残り記録可能が算出され、表示され、タイマ予約しようとする記録時間が残り記録可能時間より短い場合には、タイマ予約が受け付けられるが、そうでない場合には、タイマ予約を受け付ける前に、その旨をユーザに知らせ、録画モードの変更や不要なタイトルの削除などの処理をユーザに選択させるようにしているが、特に、録画モードの変更を行うのに、記録時間と残り記録可能時間を考えてユーザが手動で録画モードを設定しなければならないので、ユーザにとっては録画モードの設定操作が煩わしいという課題が生じる。
【０００６】
特許文献２に記載の従来技術は、記録媒体の残容量に応じて記録モード（録画モード）を切り換え、また、所望の放送の時間長を算出して記録モードを切り換えて記録することにより、常時最適な画質および最適な記録モードで記録を行うようにしているが、記録媒体の残容量が少なくなってきた場合に、所望の番組を出来るだけ多く記録することができなくなるという課題が生じる。
【０００７】
本発明は、上記のような課題を解決するためになされたもので、録画予約時に記録媒体の容量を有効に使用して最適な録画モードに設定できるようにし、これによりユーザの録画予約の設定操作が簡単に行える情報記録再生装置を提供することを目的とする。
【課題を解決するための手段】
【０００８】
上記目的を達成するために、請求項１の発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、テレビ番組の録画予約が設定されたときに、録画予約による録画で消費される分のデータ容量を記録媒体としてのハードディスクの残容量から引いたハードディスクの残容量内で最も高画質の録画モードを割り出す録画モード割出手段と、ハードディスクに録画されたタイトルで１週間内に録画されたタイトルを対象に最も多く用いられている録画モードを候補として設定する録画モード候補設定手段と、前記設定された候補の録画モードで録画した場合にハードディスクの容量が足りるか否かを判定する容量判定手段と、前記ハードディスクの容量が足りると判定された場合に、候補の録画モードで録画予約の内容を確定し、前記ハードディスクの容量が足りないと判定された場合には、前記ハードディスクの残容量の範囲内で出来るだけ録画できる最も高画質の録画モードで録画予約の内容を確定する録画予約内容確定手段と、前記録画予約された日時になったときに、前記候補の録画モード、または前記ハードディスクの残容量の範囲内で出来るだけ録画できる最も高画質の録画モードで、ハードディスクへのテレビ番組の予約録画を実行させる録画実行制御手段と、を有するシステムコントローラを備えたことを特徴とする情報記録再生装置を提供する。
【０００９】
この構成において、１週間内のテレビ番組の録画予約が行われると、録画モード割出手段は、ハードディスクの残容量を算出し、録画予約による録画で消費される分のデータ容量をハードディスクの残容量から引いたハードディスクの残容量内で、最も高画質の録画モードを割り出す。次に、録画モード候補設定手段は、ハードディスクに録画されたタイトルで１週間内に録画されたタイトルを対象に最も多く用いられている録画モードを候補として設定する。
【００１０】
この後、容量判定手段は、前記設定された候補の録画モードで録画した場合にハードディスクの容量が足りるか否かを判定する。ハードディスクの容量が足りると判定された場合、録画予約内容確定手段は、候補の録画モードで録画予約の内容を確定する。ハードディスクの容量が足りないと判定された場合には、録画予約内容確定手段は、ハードディスクの残容量の範囲内で出来るだけ録画できる最も高画質の録画モードで録画予約の内容を確定する。そして、録画予約された日時になったときに、録画実行制御手段は、候補の録画モードで録画予約の内容が確定されている場合、候補の録画モードで、ハードディスクへのテレビ番組の予約録画を実行させる。また、録画予約された日時になったときに、録画実行制御手段は、ハードディスクの残容量の範囲内で出来るだけ録画できる最も高画質の録画モードで、録画予約の内容が確定されている場合、前記最も高画質の録画モードで、ハードディスクへのテレビ番組の予約録画を実行させる。
【００１１】
この構成によれば、録画予約時にハードディスクの容量を有効に使用して最適な録画モードに設定することができ、これにより、ユーザは録画予約の設定操作を簡単に行うことができ、また、ハードディスクの残容量が少なくなってきた場合でも、所望のテレビ番組を出来るだけ多く記録することができる。
【００１２】
請求項２の発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、テレビ番組の録画予約が設定されたときに、録画予約による録画で消費される分のデータ容量を記録媒体の残容量から引いた記録媒体の残容量内で最も高画質の録画モードを割り出す録画モード割出手段と、記録媒体に録画されたタイトルで所定期間内に録画されたタイトルを対象に最も多く用いられている録画モードを候補として設定する録画モード候補設定手段と、前記設定された候補の録画モードで録画した場合に記録媒体の容量が足りるか否かを判定する容量判定手段と、前記記録媒体の容量が足りると判定された場合に、候補の録画モードで録画予約の内容を確定し、前記記録媒体の容量が足りないと判定された場合には、前記記録媒体の残容量の範囲内で出来るだけ録画できる最も高画質の録画モードで録画予約の内容を確定する録画予約内容確定手段と、前記録画予約された日時になったときに、前記候補の録画モード、または前記記録媒体の残容量の範囲内で出来るだけ録画できる最も高画質の録画モードで、記録媒体へのテレビ番組の予約録画を実行させる録画実行制御手段と、を有するシステムコントローラを備えたことを特徴とする情報記録再生装置を提供する。
【００１３】
この構成において、所定期間内のテレビ番組の録画予約が行われると、録画モード割出手段は、記録媒体の残容量を算出し、録画予約による録画で消費される分のデータ容量を記録媒体の残容量から引いた記録媒体の残容量内で、最も高画質の録画モードを割り出す。次に、録画モード候補設定手段は、記録媒体に録画されたタイトルで所定期間内に録画されたタイトルを対象に最も多く用いられている録画モードを候補として設定する。
【００１４】
この後、容量判定手段は、前記設定された候補の録画モードで録画した場合に記録媒体の容量が足りるか否かを判定する。記録媒体の容量が足りると判定された場合、録画予約内容確定手段は、候補の録画モードで録画予約の内容を確定する。記録媒体の容量が足りないと判定された場合には、録画予約内容確定手段は、記録媒体の残容量の範囲内で出来るだけ録画できる最も高画質の録画モードで録画予約の内容を確定する。録画予約された日時になったときに、録画実行制御手段は、候補の録画モードで録画予約の内容が確定されている場合、候補の録画モードで、記録媒体へのテレビ番組の予約録画を実行させる。また、録画予約された日時になったときに、録画実行制御手段は、記録媒体の残容量の範囲内で出来るだけ録画できる最も高画質の録画モードで、録画予約の内容が確定されている場合、前記最も高画質の録画モードで、記録媒体へのテレビ番組の予約録画を実行させる。
【００１５】
この構成によれば、録画予約時に記録媒体の容量を有効に使用して最適な録画モードに設定することができ、これにより、ユーザは録画予約の設定操作を簡単に行うことができ、また、記録媒体の残容量が少なくなってきた場合でも、所望のテレビ番組を出来るだけ多く記録することができる。
【００１６】
請求項３の発明では、請求項２の発明において、前記録画モード候補設定手段は、記録媒体に録画されたタイトルで１週間内に録画されたタイトルを対象に最も多く用いられている録画モードを候補として設定することを特徴とする。したがって、テレビ番組のプログラムは、日曜日から土曜日までの１週間単位で組み立てられているので、当該前回の録画予約により１週間内に録画されたタイトルを対象に最も多く用いられている録画モードを候補に設定すれば、次の１週間分の番組の録画予約において設定される録画モードが最適なものとなる。
【００１７】
請求項４の発明では、請求項２の発明において、前記記録媒体としてはハードディスクを用いることを特徴とする。したがって、ハードディスクは、１週間分のテレビ番組でも十分に録画できるので、ハードディスクに録画されたタイトルで１週間内に録画されたタイトルを対象に最も多く用いられている録画モードを候補として設定することもできる。
【発明の効果】
【００１８】
以上のように本発明によれば、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、テレビ番組の録画予約が設定されたときに、録画予約による録画で消費される分のデータ容量を記録媒体としてのハードディスクの残容量から引いたハードディスクの残容量内で最も高画質の録画モードを割り出す録画モード割出手段と、ハードディスクに録画されたタイトルで１週間内に録画されたタイトルを対象に最も多く用いられている録画モードを候補として設定する録画モード候補設定手段と、前記設定された候補の録画モードで録画した場合にハードディスクの容量が足りるか否かを判定する容量判定手段と、前記ハードディスクの容量が足りると判定された場合に、候補の録画モードで録画予約の内容を確定し、前記ハードディスクの容量が足りないと判定された場合には、前記ハードディスクの残容量の範囲内で出来るだけ録画できる最も高画質の録画モードで録画予約の内容を確定する録画予約内容確定手段と、前記録画予約された日時になったときに、前記候補の録画モード、または前記ハードディスクの残容量の範囲内で出来るだけ録画できる最も高画質の録画モードで、ハードディスクへのテレビ番組の予約録画を実行させる録画実行制御手段とを有するシステムコントローラを備えたので、録画予約時にハードディスクの容量を有効に使用して最適な録画モードに設定することができ、これにより、ユーザは録画予約の設定操作を簡単に行うことができ、また、ハードディスクの残容量が少なくなってきた場合でも、所望のテレビ番組を出来るだけ多く記録することができる。
【００１９】
また、本発明によれば、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、テレビ番組の録画予約が設定されたときに、録画予約による録画で消費される分のデータ容量を記録媒体の残容量から引いた記録媒体の残容量内で最も高画質の録画モードを割り出す録画モード割出手段と、記録媒体に録画されたタイトルで所定期間内に録画されたタイトルを対象に最も多く用いられている録画モードを候補として設定する録画モード候補設定手段と、前記設定された候補の録画モードで録画した場合に記録媒体の容量が足りるか否かを判定する容量判定手段と、前記記録媒体の容量が足りると判定された場合に、候補の録画モードで録画予約の内容を確定し、前記記録媒体の容量が足りないと判定された場合には、前記記録媒体の残容量の範囲内で出来るだけ録画できる最も高画質の録画モードで録画予約の内容を確定する録画予約内容確定手段と、前記録画予約された日時になったときに、前記候補の録画モード、または前記記録媒体の残容量の範囲内で出来るだけ録画できる最も高画質の録画モードで、記録媒体へのテレビ番組の予約録画を実行させる録画実行制御手段とを有するシステムコントローラを備えたので、録画予約時に記録媒体の容量を有効に使用して最適な録画モードに設定することができ、これにより、ユーザは録画予約の設定操作を簡単に行うことができ、また、記録媒体の残容量が少なくなってきた場合でも、所望のテレビ番組を出来るだけ多く記録することができる。
【発明を実施するための最良の形態】
【００２０】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とする自動録画モード設定機能は、複合型記録再生装置に限らず、単体のハードディスク装置や光ディスク装置に設ければ、同様な効果を得ることができる。
【００２１】
図１において、複合型記録再生装置１は、光ディスクとしてのＤＶＤ１５などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュメモリ６とを備えている。
【００２２】
また、この複合型記録再生装置１は、デコーダ５で復号された映像信号をモニタ装置（テレビ受信機など）１３のディスプレイ装置１３１で表示可能な映像信号に変換する映像出力部７と、タイトルリスト画面などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２３】
システムコントローラ１０は、本実施形態の特徴として、テレビ番組の録画予約が設定されたときに、録画予約による録画で消費される分のデータ容量を記録媒体としてのＨＤ１４の残容量から引いたＨＤ１４の残容量内で最も高画質の録画モードを割り出す録画モード割出手段と、ＨＤ１４に録画されたタイトルで１週間内に録画されたタイトルを対象に最も多く用いられている録画モードを候補として設定する録画モード候補設定手段と、前記設定された候補の録画モードで録画した場合にＨＤ１４の容量が足りるか否かを判定する容量判定手段と、前記ＨＤ１４の容量が足りると判定された場合に、候補の録画モードで録画予約の内容を確定し、ＨＤ１４の容量が足りないと判定された場合には、ＨＤ１４の残容量の範囲内で出来るだけ録画できる最も高画質の録画モードで録画予約の内容を確定する録画予約内容確定手段と、前記録画予約された日時になったときに、前記候補の録画モード、またはＨＤ１４の残容量の範囲内で出来るだけ録画できる最も高画質の録画モードで、ＨＤ１４へのテレビ番組の予約録画を実行させる録画実行制御手段とを有する。
【００２４】
図２は本実施形態において録画予約（タイマ予約）時の適切な録画モードの自動割り出しを行う処理を説明するためのフローチャートである。このフローチャートおよび図１を参照して録画予約（タイマ予約）時の適切な録画モードの自動割り出しを行う処理について説明する。
【００２５】
ユーザがリモコン１１を操作して１週間内のテレビ番組の録画予約が行われると、システムコントローラ１０は、録画予約が設定されたことを検知し（ステップＳ１）、システムコントローラ１０の録画モード割出手段は、ハードディスク装置３を駆動させ、ＨＤ１４の残容量を算出し、録画予約による録画で消費される分のデータ容量をＨＤ１４の残容量から引いたＨＤ１４の残容量内で、最も高画質の録画モードを割り出す（ステップＳ２）。即ち、録画モード割出手段は、録画予約時の録画時間とＨＤ１４の残容量内で最も画質の良い録画モードを割り出す。例えば、ＨＤ１４の残容量が録画モードＸＰで８時間録画可能であれば、録画時間が１時間の場合、録画モードＸＰで録画されるので、割り出される録画モードはＸＰになる。
【００２６】
次に、システムコントローラ１０の録画モード候補設定手段は、ＨＤ１４に録画されたタイトルで１週間内に録画されたタイトルを対象に最も多く用いられている録画モードを候補として設定する（ステップＳ３）。即ち、録画モード候補設定手段は、ハードディスク装置３を駆動させ、ＨＤ１４に録画されているタイトルを参照し、このタイトル内から１週間以内に録画されたタイトルを録画日時から検索し、それらの録画モードを割り出し、この割り出した録画モードで最も使用回数の多い録画モードを自動録画モードの候補として設定する。
【００２７】
この後、システムコントローラ１０の容量判定手段は、前記設定された候補の録画モードで録画した場合にＨＤ１４の容量が足りるか否かを判定する（ステップＳ４）。このとき、前記設定された候補の録画モード（自動録画モード）がＨＤ１４の残容量内で最も画質の良い録画モードよりも、ビットレートが以下の場合、候補の録画モードが録画予約時の録画モードして扱われる。即ち、ＨＤ１４の容量が足りると判定された場合に、システムコントローラ１０の録画予約内容確定手段は、候補の録画モードで録画予約の内容を確定する（ステップＳ５）。
【００２８】
しかし、前記設定された候補の録画モード（自動録画モード）がＨＤ１４の残容量内で最も画質の良い録画モードよりも、ビットレートが高い場合には、ＨＤ１４の残容量内で最も画質の良い録画モードが、そのまま予約録画時の録画モードとして扱われる。即ち、ＨＤ１４の容量が足りないと判定された場合には、システムコントローラ１０の録画予約内容確定手段は、ＨＤ１４の残容量の範囲内で出来るだけ録画できる最も高画質の録画モードで録画予約の内容を確定する（ステップＳ６）。
【００２９】
ところで、１週間分の録画予約の内容を出来る限り漏れないように録画し、なお且つ自動録画モードが設定されている録画予約の内容を、最適な録画モードで録画したい場合も、ステップＳ６の処理を適用する。先ず、自動録画モードを設定した日付から１週間以内の録画予約による録画時間を算出する。録画モードが指定されている内容が録画予約に含まれる場合は、ＨＤ１４の残容量から録画モードが指定されている内容のデータ容量を引いておく。ただし、録画映像は、高ビットレートの信号（約１０、０Ｍｂｐｓ）が含まれる映像とする。このような処理により、容量が残ったＨＤ１４の容量から、自動録画モードの候補を選択したり、ＨＤ１４の残容量内で最も画質の良い録画モードを選択したりすることができる。なお、ＨＤ１４の残容量から録画モードが指定されている録画予約の内容のデータ容量を引いた結果が０Ｂｙｔｅ以下の場合は、最小の録画モードとして予約録画を行う。
【００３０】
ステップＳ５またはステップＳ６の処理の後、録画予約された日時になったときに、システムコントローラ１０の録画実行制御手段は、候補の録画モードで録画予約の内容が確定されている場合、ハードディスク装置３を駆動させ、候補の録画モードで、ＨＤ１４へのテレビ番組の予約録画を実行させる（ステップＳ８）。また、録画予約された日時になったときに、システムコントローラ１０の録画実行制御手段は、ＨＤ１４の残容量の範囲内で出来るだけ録画できる最も高画質の録画モードで、録画予約の内容が確定されている場合、ハードディスク装置３を駆動させ、前記最も高画質の録画モードで、ＨＤ１４へのテレビ番組の予約録画を実行させる（ステップＳ８）。録画が終了すれば（ステップＳ９）、本処理は終える。
【００３１】
次に、本実施形態における自動録画モード設定機能により行われる録画モードの割り出しの具体例について説明する。
【００３２】
ＨＤ１４を初めて使用する場合は、ＨＤ１４の記録容量と残容量とは同じであるので、例えば、或る月における１週目の１週間内の番組の録画予約による録画内容が高画質で全て録画されるようにする場合、ハードディスク装置３において最も高画質の録画モードである録画モードＸＰが割り出される。そして、録画予約された日時になって、録画が実行され、１週間分の録画が終了する。
【００３３】
次に、２週目の１週間内の録画予約による録画内容が全て録画されるようにする場合、１週目でＨＤ１４に録画されたタイトル（番組）で１週間以内に録画されたタイトルを対象に、最も多く用いられている録画モード（この場合、録画モードＸＰ）を、設定すべき録画モードの候補とする。そして、候補の録画モードＸＰで録画した場合に、ＨＤ１４の容量が足りるか否かが判定される。
【００３４】
このＨＤ１４の容量が足りるか否かの判定は、ＨＤ１４の残容量（全容量から１週目で録画したデータ容量を引いて得られた残容量）から２週目において録画モードＸＰで録画予約されているデータ容量を引いて、ＨＤ１４の残容量が有れば、録画モードは録画モードＸＰに設定されるが、ＨＤ１４の残容量が不足する場合には、録画モードＳＰで録画すると仮定したときのＨＤ１４の残容量を調べ、残容量が不足しない場合には、録画モードを録画モードＳＰに設定し、不足する場合には、更に録画モードを下げる。このように、所望の番組が出来る限り録画できるように、録画モードを下げて行く。なお、ＨＤ１４の残容量が無くなれば、タイトルリストをモニタ装置１３のディスプレイ装置１３１に表示させ、ユーザが消去しても構わないタイトルをリモコン操作により選択して消去したり、また、保存しておきたいタイトルをＤＶＤ１５に移したりすることによって、ＨＤ１４の残容量を確保することができる。
【００３５】
以上説明したように本実施形態によれば、録画予約時にＨＤ１４の容量を有効に使用して最適な録画モードに設定することができ、これにより、ユーザは録画予約の設定操作を簡単に行うことができ、また、ＨＤ１４の残容量が少なくなってきた場合でも、所望のテレビ番組を出来るだけ多く記録することができる。
【産業上の利用可能性】
【００３６】
本発明は、ＤＶＤレコーダとハードディスクレコーダとの複合機、あるいはハードディスクレコーダにおける自動録画モード設定機能に利用可能である。
【図面の簡単な説明】
【００３７】
【図１】本発明の一実施形態に係る情報記録再生装置としての複合型記録再生装置の構成を示すブロック図である。
【図２】前記実施形態において録画予約（タイマ予約）時の適切な録画モードの自動割り出しを行う処理を説明するためのフローチャートである。
【符号の説明】
【００３８】
１    複合型記録再生装置（情報記録再生装置）
４    チューナ
１０    システムコントローラ（録画モード割出手段、録画モード候補設定手段、容量判定手段、録画予約内容確定手段、録画実行制御手段）
１４    ハードディスク（記録媒体）
【図１】
2008098962.tif 000003
【図２】
2008098962.tif 000004